(57)【要約】【課題】  表札部の奥行きを大きく確保しなくても、表札部を立体的に見せることができる機能門柱を提供する。【解決手段】  機能門柱を、柱状を為し、その前面に表札部１１が設けられた門柱本体１０と、門柱本体１０の前面と隙間αを隔てた状態で門柱本体１０の前面を覆う門柱カバー２０とで構成し、門柱カバー２０における、門柱本体１０の表札部１１と前後に重なる箇所に、表札露出用開口部２３を設けた。表札部１１は、文字の形状を為すように素材を加工した文字表示体１１ａによって構成することが好ましい。また、文字表示体１１ａは、隙間αの前後方向中央部付近に配することが好ましい。【選択図】  図１
2020094370.tif 000002
【特許請求の範囲】
【請求項１】
柱状を為し、その前面に表札部が設けられた門柱本体と、
門柱本体の前面と隙間を隔てた状態で門柱本体の前面を覆う門柱カバーと
で構成され、
門柱カバーにおける、門柱本体の表札部と前後に重なる箇所に、表札露出用開口部が設けられた
ことを特徴とする機能門柱。
【請求項２】
表札部が、文字の形状を為すように素材を加工した文字表示体によって構成された請求項１記載の機能門柱。
【請求項３】
文字表示体が、前記隙間の前後方向中央部付近に配された請求項２記載の機能門柱。
【請求項４】
前記隙間を通じて文字表示体を照射する表札用照明が、前記隙間内に設けられた請求項２又は３記載の機能門柱。
【請求項５】
文字表示体が、光沢色とされ、
門柱本体における文字表示体の後方に位置する部分が、暗色とされた
請求項４記載の機能門柱。
【請求項６】
門柱カバーが、門柱本体の前面を覆う前面被覆部に加えて、門柱本体の側面を覆う側面被覆部も備え、
表札露出用開口部が、門柱カバーにおける前面被覆部から側面被覆部まで延在して設けられた請求項１〜５いずれか記載の機能門柱。
【発明の詳細な説明】
【技術分野】
【０００１】
本発明は、表札に加えて各種の機能部分が備え付けられた機能門柱に関する。
【背景技術】
【０００２】
近年の住宅の玄関回りでは、機能門柱が設置されることが多くなってきている。機能門柱は、表札に加えて、郵便受けや照明やインターホン等の機能部分が備え付けられた門柱であり、玄関回りを省スペース化することができるだけでなく、玄関回りをすっきりと見せることができるというメリットを有している。また、郵便や小包や新聞等の配達員にとっては、機能門柱の前に立てば、表札の確認や、インターホンでの呼び出しや、配達物や不在連絡票の郵便受けへの投函の全てを行うことができるというメリットがある。
【０００３】
機能門柱は、上記のように機能性に優れているだけでなく、外観がお洒落なものも多い。これまでには、表札部の見え方に工夫を施した機能門柱も提案されている。例えば、特許文献１の図３には、ガラスプレート２４と後壁部８との間の閉鎖されたスペース（表札スペースＳ）に文字表示体（表示部３１）を設けることによって表札部を構成し、表札スペースＳの上方に設けたライト３４によって文字表示体３１を照射するようにした機能門柱が提案されている（同文献の請求項１を参照。）。特許文献１には、表札部に奥行きを生じさせて表札を斬新なデザインとすることや、表札部を立体的に見せることや、夜間における表札部の視認性を高めることが可能になる旨が記載されている（同文献の段落００１１，００１２を参照。）。
【先行技術文献】
【特許文献】
【０００４】
【特許文献１】特開２０１３−２１３３２４号公報
【発明の概要】
【発明が解決しようとする課題】
【０００５】
しかし、特許文献１の機能門柱における表札部は、奥行きがあり、スペースをとるため、機能門柱のスペースを有効に活用できないという欠点がある。また、特許文献１の機能門柱における表札部では、ガラスプレート２４に光が反射するため、太陽の位置や、周囲の照明環境等によっては、文字表示体３１を判読しにくくなる虞がある。さらに、特許文献１の機能門柱における表札部では、ライト３４の反射光によって文字表示体３１を裏側から照射する構造となっており（同文献の段落００３２を参照）、文字表示体３１よりもその周囲が明るくなるため、夜間において表札部が目立っても、表札部を構成する最も重要な部分である文字表示体３１が逆に目立ちにくくなる虞もある。
【０００６】
本発明は、上記課題を解決するために為されたものであり、表札部の奥行きを大きく確保しなくても、表札部を立体的に見せることができる機能門柱を提供するものである。また、昼夜を問わず、表札部を構成する文字表示体を判読しやすい機能門柱を提供することも本発明の目的である。
【課題を解決するための手段】
【０００７】
上記課題は、
柱状を為し、その前面に表札部が設けられた門柱本体と、
門柱本体の前面と隙間を隔てた状態で門柱本体の前面を覆う門柱カバーと
で構成され、
門柱カバーにおける、門柱本体の表札部と前後に重なる箇所に、表札露出用開口部が設けられた
ことを特徴とする機能門柱
を提供することによって解決される。
【０００８】
これにより、門柱本体と門柱カバーとの隙間を利用して表札部を立体的に見せることが可能になる。すなわち、門柱本体の内側に表札部用のスペースを設けなくても、門柱カバーの前面よりも奥まった箇所に表札部を設けることができる。このため、表札部の見た目をお洒落で目立つようにすることもできる。加えて、門柱本体の内部における表札部の裏側のスペースを、配線スペース等として有効に活用することもできるようになる。また、本発明の機能門柱では、表札露出用開口部をガラスプレート等の透明板で塞がないため、表札部を見やすくすることも可能である。
【０００９】
本発明の機能門柱において、表札部は、石板等のプレートに文字を表したものであってもよいが、文字の形状を為すように素材（金属板、金属棒又は金属ブロック等）を加工（切断、折り曲げ、切削又は溶接等）した文字表示体によって構成することが好ましい。これにより、表札部の文字表示体そのものを立体的な形態とすることができ、表札部をより立体的に見せることが可能になる。
【００１０】
表札部を構成する文字表示体は、門柱本体の前面に密着した状態に配してもよいが、前記隙間（門柱本体と門柱カバーとの隙間）の前後方向中央部付近に配することが好ましい。これにより、門柱カバーの前面と、文字表示体の前面と、門柱本体の前面との３段階で奥行きを感じさせることが可能になり、表札部をさらに立体的に見せることが可能になる。
【００１１】
本発明の機能門柱においては、前記隙間（門柱本体と門柱カバーとの隙間）を通じて文字表示体を照射する表札用照明を、前記隙間内に設けることも好ましい。これにより、特に夜間において、表札部の視認性を高めることが可能になる。この構成は、文字表示体を前記隙間の前後方向中央部付近に配する場合に特に好適に採用することができる。これにより、文字表示体の影によって表札部をさらに立体的に見せることが可能になる。
【００１２】
本発明の機能門柱において、上記の表札用照明を設ける場合には、文字表示体を光沢色とし、門柱本体における文字表示体の後方に位置する部分を暗色とすることが好ましい。これにより、表札用照明を点灯させているとき（夜間時等）に、表札用照明からの照射光を文字表示体で反射させて文字表示体を光らせ、その背景にある暗色とのコントラストと相まって、文字表示体を判読しやすくすることが可能になる。
【００１３】
本発明の機能門柱において、門柱カバーは、門柱本体の前面を覆う前面被覆部のみを有するものであってもよいが、前面被覆部に加えて、門柱本体の側面を覆う側面被覆部も備えたものとすることが好ましい。これにより、機能門柱の外観をシンプルで一体感のあるものとすることができる。この場合には、表札露出用開口部を、門柱カバーにおける前面被覆部から側面被覆部まで延在して設けることが好ましい。これにより、機能門柱を側方から見たときでも、表札部の位置を認識することが可能になる。また、機能門柱の外観をよりお洒落にすることも可能になる。
【発明の効果】
【００１４】
以上のように、本発明によって、表札部の奥行きを大きく確保しなくても、表札部を立体的に見せることができる機能門柱を提供することが可能になる。また、昼夜を問わず、表札部を構成する文字表示体を判読しやすい機能門柱を提供することも可能になる。
【図面の簡単な説明】
【００１５】
【図１】本発明の機能門柱の一例を示した斜視図である。
【図２】図１の機能門柱を、門柱本体と門柱カバーとに分解した状態を示した斜視図である。
【図３】図１の機能門柱を、上方から見た状態を示した平面図である。
【図４】図１の機能門柱における表札部付近を、同図におけるＸ１−Ｘ１面で切断した状態を示した断面図である。
【発明を実施するための形態】
【００１６】
本発明の機能門柱の好適な実施態様について、図面を用いてより具体的に説明する。図１は、本発明の機能門柱の一例を示した斜視図である。図２は、図１の機能門柱を、門柱本体１０と門柱カバー２０とに分解した状態を示した斜視図である。図３は、図１の機能門柱を、上方から見た状態を示した平面図である。図４は、図１の機能門柱における表札部１１付近を、同図におけるＸ１−Ｘ１面で切断した状態を示した断面図である。図１〜３においては、門柱本体１０を網掛けハッチングで示している。また、図２においては、表札用照明６０の上側の雨除け７０の一部を破断して描いている。
【００１７】
本実施態様の機能門柱は、図２に示すように、門柱本体１０と、門柱本体１０の前方から門柱本体１０の前面側に組み付けられる門柱カバー２０とで構成されている。門柱カバー２０は、図３に示すように、門柱カバー２０における、門柱本体１０の前面を覆う部分（後述する前面被覆部２１）が、門柱本体１０の前面から前方に隙間αを隔てた状態で配置される。また、本実施態様においては、後述するように、門柱カバー２０が、門柱本体１０の側面を覆う部分（後述する側面被覆部２２）も有するところ、この側面被覆部２２が、門柱本体１０の側面から隙間βを隔てた状態で配置される。
【００１８】
門柱本体１０は、直方体状を為す躯体（通常、中空なボックス状の構造とされる。）に、表札部１１と、インターホン取付部１２と、郵便受け収容部１３とを設けたものとなっている。門柱本体１０の躯体は、必ずしも直方体状である必要はない。門柱本体１０の水平断面形状は、平行四辺形や楕円形等、長方形以外の形状とすることも可能である。
【００１９】
表札部１１は、機能門柱が設置される住宅の居住者の名前（通常、苗字）を表示するための部分である。既に述べたように、門柱本体１０の前面側は、門柱カバー２０で覆われるところ、表札部１１は、門柱カバー２０に設けた開口部（後述する表札露出用開口部２３）を通じて、機能門柱の前方から視認されるようになる。表札部１１は、門柱本体１０の前面における、視界に入りやすい高さ（通常、地面から１００〜１５０ｃｍの高さ）に設けられる。
【００２０】
インターホン取付部１２は、インターホン３０を取り付けるための部分である。インターホン取付部１２は、表札部１１と同様、門柱本体１０の前面に設けられる。このインターホン取付部１２は、通常、地面から１２０〜１５０ｃｍの高さに設けられる。本実施態様においては、門柱本体１０の前面における表札部１１よりも上段部分に、インターホン取付部１２を配置している。
【００２１】
郵便受け収容部１３は、郵便受け４０を収容するための部分である。門柱本体１０の右側面には、郵便受け４０の内部に配達物等を投函するための投函口１４が設けられている。郵便受け収容部１３は、通常、地面から６０〜１１０ｃｍの高さに設けられる。本実施態様において、郵便受け収容部１３は、表札部１１の下側となっている。門柱本体１０の後面側には、郵便受け４０から中身を取り出すための開閉扉（図示省略）が設けられている。
【００２２】
門柱本体１０の躯体は、通常、金属によって形成される。本実施態様においては、金属板を折り曲げ又は接合することによって、前壁部（門柱本体１０の前面を形成する板状の部分）と上壁部（門柱本体１０の上面を形成する板状の部分）と左側壁部（門柱本体１０の左側面を形成する板状の部分）と右側壁部（門柱本体１０の右側面を形成する板状の部分）とが一体的に形成されて箱状（後面及び下面が解放された箱状）とされた前側部材と、前側部材の後方の開放部分に蓋をする金属板からなる後壁部とで、門柱本体１０の躯体を構成している。後壁部は、通常、ネジ等により前側部材に固定される。門柱本体１０の躯体の内側空間には、その内側空間を水平方向又は上下方向に仕切る仕切壁部を設けてもよい。
【００２３】
表札部１１は、プレートに名前を表しただけのものであってもよいが、このような表札部１１は、文字部分が平面的で面白みに欠ける。この点、本実施態様においては、立体的形状を有する文字表示体１１ａによって表札部１１を構成している。文字表示体１１ａは、金属等からなる素材を特定の文字の形状（図２の例では、アルファベットの「Ｓ」と「Ａ」と「Ｔ」と「Ｏ」の文字の形状）を為すように加工したものとなっている。具体的には、厚手の金属板を上記の文字の形状に切り抜くことによって文字表示体１１ａを形成している。文字表示体１１ａは、上記のように金属板を切り抜く方法以外にも、金属棒を折り曲げる方法や、金属ブロックに切削加工を施す方法や、複数の金属部材を溶接等により一体化させる方法等でも得ることができる。
【００２４】
文字表示体１１ａは、１文字ずつ分離した形態のものであってもよいが、この場合には、文字表示体１１ａを１文字ずつ門柱本体１０に取り付ける必要が生じて手間である。この点、本実施態様においては、文字表示体１１ａを、その下側に設けた帯状の連結部で各文字が連結された構造のものとしている。これにより、門柱本体１０に対して文字表示体１１ａを容易に取り付けることが可能になる。文字表示体１１ａを連結する連結部は、通常、表札露出用開口部２３を通じて見えない箇所（門柱カバー２０で覆われる箇所）に配される。
【００２５】
文字表示体１１ａは、門柱本体１０の前面に対して密着した状態に設けてもよいが、本実施態様においては、図４に示すように、隙間α内における前後方向中央部付近に文字表示体１１ａを配している。このため、文字表示体１１ａは、門柱本体１０の前面から浮いた状態とるとともに、門柱カバー１０の後面から後方に控えた状態となっている。これにより、表札部１１をより立体的に見せることが可能となっている。
【００２６】
門柱本体１０に対して文字表示体１１ａを取り付ける方法は、特に限定されないが、本実施態様においては、図４に示す固定具５０を用いて固定するようにしている。この固定具５０は、文字表示体１１ａの後面から後ろ向きに設けられたネジ部５１と、ネジ部５１を挿通してネジ部５１の基端側外周部を覆う筒状スペーサ部５２と、ネジ部５１に螺合可能なナット部５３とを備えている。この固定具５０のネジ部５１の基端側に筒状スペーサ部５２を取り付けた状態で、門柱本体１０の前壁部に設けた貫通孔に対してネジ部５１の先端部を挿通し、門柱本体１０の前壁部の裏側に突き出たネジ部５１の先端側にナット部５３を螺合することで、文字表示体１１ａが固定される。門柱本体１０の前面と文字表示体１１ａとのクリアランスは、筒状スペーサ部５２によって保たれるようになっている。以下においては、この構造の固定具５０を「筒状スペーサ型の固定具」と呼ぶことがある。
【００２７】
上記の固定具５０は、上記の筒状スペーサ型のもの以外にも、他の構造を採用することができる。例えば、上記の筒状スペーサ型の固定具５０における筒状スペーサ部５２を、文字表示体１１ａの後面から後ろ向きに設けられた雌ネジスタッドボルトで置き換え、上記の筒状スペーサ型の固定具５０におけるネジ部５１及びナット部５３を、雌ネジスタッドボルトのネジ穴に対して後方から螺合される頭部付きのネジで置き換えたものとすることもできる。以下においては、この構造の固定具５０を「雌ネジスタッドボルト型の固定具」と呼ぶことがある。筒状スペーサ型の固定具５０では、ネジ部５１と筒状スペーサ部５２とナット部５３の３つの部材が必要であったのに対し、雌ネジスタッドボルト型の固定具５０では、雌ネジスタッドボルトと頭部付きのネジの２つの部材で済むため、固定具５０をよりシンプルにすることができる。
【００２８】
門柱カバー１０は、門柱本体１０の外面を覆うための部材となっている。これにより、門柱本体１０を保護するだけでなく、図１に示すように、機能門柱の外観をすっきりとさせ、機能門柱をスタイリッシュなデザインのお洒落なものに仕上げることが可能になる。このようなスタイリッシュなデザインの機能門柱を得るためには、門柱カバー１０は、デコラティブなデザインとするよりは、シンプルなデザインとすることが好ましい。本実施態様においては、特に模様等を施していない金属板によって、門柱カバー２０を形成している。門柱カバー２０を形成する金属板の表面には、防錆処理等の表面処理を施すこともできる。
【００２９】
門柱カバー２０は、門柱本体１０における少なくとも前面を覆うことができるものであれば、特に限定されない。本実施態様においては、図２に示すように、門柱カバー２０を、門柱本体１０の前面を覆う前面被覆部２１と、門柱本体１０の各側面を覆う左右一対の側面被覆部２２とで構成している。左右の側面被覆部２２は、前面被覆部２１の左縁部及び右縁部からそれぞれ後方に突出して設けられている。このため、門柱カバー２０は、水平断面「コ」の字状を為す形態となっている。本実施態様においては、既に述べたように、門柱本体１０を直方体状としたため、門柱カバー２０を上記のような形態としたが、門柱カバー２０の形態は、門柱本体１０の形態等に応じて適宜変更することができる。
【００３０】
門柱カバー２０における、門柱本体１０の表札部１１と前後に重なる箇所には、表札露出用開口部２３を設けている。門柱本体１０の表札部１１は、この表札露出用開口部２３を通じて視認されるようになる。表札露出用開口部２３は、ガラスプレート等の透明板によって塞がれておらず、完全に開放された状態となっている。このため、太陽光や周辺の照明の光等が、表札露出用開口部２３の付近で反射しないようになっており、表札部１１を視認しやすくなっている。
【００３１】
表札露出用開口部２３の形状は、特に限定されないが、複雑な形態としすぎると、機能門柱の外観をシンプルに見せることができなくなる虞がある。加えて、表札露出用開口部２３の形状に目が行きやすくなり、相対的に、文字表示体１１ａに目が行きにくくなる。このため、表札露出用開口部２３は、シンプルな形状に形成することが好ましい。本実施態様においては、図１に示すように、表札露出用開口部２３を横長の矩形帯状に形成している。表札部１１が縦書きである場合には、表札露出用開口部２３は、縦長に形成するとよい。
【００３２】
また、既に述べたように、本実施態様においては、門柱カバー２０を、前面被覆部２１に加えて左右一対の側面被覆部２２を有する形態としたところ、表札露出用開口部２３を、前面被覆部２１における一方の側縁（図１の例では右縁）に達するように設けており、一方の側面被覆部２２（図１の例では右側の側面被覆部２２）にも延在させている。これにより、機能門柱を右側から見た場合であっても、表札部１１の位置を認識させることが可能になる。また、前面被覆部２１と側面被覆部２２との境界に形成される角部を跨いで表札露出用開口部２３を設けることによって、表札部１１をさらに立体的に見せることも可能となる。
【００３３】
表札露出用開口部２３の寸法も、特に限定されない。しかし、表札露出用開口部２３を小さくしすぎると、必然的に、表札露出用開口部２３を通じて視認される文字表示体１１ａの寸法も小さくする必要が生じ、文字表示体１１ａを判読しにくくなる虞がある。このため、表札部１１を横書きとする場合、表札露出用開口部２３の縦幅は、２０ｍｍ以上確保される。表札部１１を横書きとする場合における表札露出用開口部２３の横幅は、文字数等によっても異なるが、通常、２０ｃｍ以上は確保され、好ましくは、３０ｃｍ以上確保される。本実施態様において、表札露出用開口部２３の縦幅は、約２５ｍｍで、表札露出用開口部２３の横幅は、約３５ｃｍとなっている。
【００３４】
既に述べたように、門柱カバー２０は、その前面被覆部２１が、門柱本体１０の前面から隙間α（図３を参照。）を隔て、その側面被覆部２２が、門柱本体１０の側面から隙間β（図３を参照。）を隔てた状態で組み付けられる。門柱本体１０に対する門柱カバー２０の取付方法は、特に限定されないが、溶接等の不可逆的な取付方法を採用すると、取付作業に手間を要するようになる。加えて、門柱本体１０のメンテナンスや、門柱カバー２０の交換のために、門柱カバー２０を取り外そうとするときにも労力を要するようになる。このため、門柱カバー２０は、ネジ止めやボルト止めにより、門柱本体１０に取り付けるようにすることが好ましい。
【００３５】
この場合、隙間αや隙間βには、隙間αや隙間βを一定に保つためのスペーサを配することもできる。門柱本体１０に門柱カバー２０を取り付ける固定具として、文字表示体１１ａを門柱本体１０に取り付ける際に用いた固定具５０（図４を参照。）と同様の構造を有するもの（筒状スペーサ型の固定具５０や雌ネジスタッドボルト型の固定具５０）を用いれば、固定具５０における筒状スペーサ部５２（筒状スペーサ型５０の固定具５０の場合）や、雌ネジスタッドボルト（雌ネジスタッドボルト型の固定具５０の場合）がスペーサとしての機能を有するため、別途スペーサを設ける必要がなくなる。
【００３６】
隙間αや隙間βの幅（門柱本体１０の外面から門柱カバー２０の内面までの距離。以下同じ。）は、特に限定されないが、狭くしすぎると、門柱本体１０の外面と門柱カバー２０の外面との段差が小さくなり、表札部１１が立体的に見えにくくなる虞がある。このため、隙間α及び隙間βの幅は、１０ｍｍ以上確保することが好ましく、１３ｍｍ以上確保することがより好ましい。一方、隙間α及び隙間βの幅を広くしすぎると、表札部１１が奥まった箇所になりすぎて、表札部１１を視認しにくくなる虞がある。加えて、機能門柱の寸法（特に左右幅及び前後幅）が不必要に大きくなる虞もある。このため、隙間α及び隙間βの幅は、５０ｍｍ以下とすることが好ましく、３０ｍｍ以下とすることがより好ましい。本実施態様において、隙間α及び隙間βの幅はいずれも、１５〜１６ｍｍ程度となっている。
【００３７】
以上のように、本発明の機能門柱は、表札部１１の奥行きを大きく確保しなくても、表札部１１を立体的に見せることができることに加えて、表札部１１を構成する文字表示体１１ａを判読しやすいものとなっている。本実施態様においては、表札部１１をさらに立体的に見せることや、文字表示体１１ａの判読をより容易にするために、さらに以下の工夫を施している。
【００３８】
すなわち、図４に示すように、門柱本体１０と門柱カバー２０との隙間αに、表札用照明６０を設けている。この表札用照明６０は、隙間αを通じて上記の文字表示体１１ａを照射するためのものとなっている。これにより、表札部１１の視認性を高めることが可能になる。加えて、本実施態様では、文字表示体１１ａを隙間αの前後方向中央部付近に配したため、表札用照明６０からの照射光は、文字表示体１１ａの前面側だけでなく後面側にも入り込む。このため、表札部１１を見た人が、文字表示体１１ａの後面側の空間を意識して、文字表示体１１ａが浮き上がった状態に見えやすくなり、文字表示体１１ａの影と相まって、表札部１１をさらに立体的に見せることが可能になる。
【００３９】
表札用照明６０は、白熱電球を用いてもよいが、ＬＥＤ光源を用いていることが好ましい。これにより、表札用照明６０を省エネルギー化するとともに、長寿命化することができる。本実施態様においても、ＬＥＤ光源を用いた線状照明を表札用照明６０として用いている。表札用照明６０を線状照明とすることによって、表札用照明６０を、表札部１１に沿って長手状に配し、表札部１１をむらなく照射することができる。表札用照明６０は、手動で点灯又は消灯するようにしてもよいが、周囲の照度や時刻に応じて自動的に点灯又は消灯するようにしてもよい。
【００４０】
表札用照明６０は、隙間α内であれば、表札部１１の上側、下側、左側及び右側のいずれに設けてもよい。しかし、表札部１１が横書きである場合に、表札用照明６０を表札部１１の左側や右側に設けと、表札用照明６０から照射光が、文字表示体１１ａの全体に届きにくくなる。また、表札用照明６０を表札部１１の下側に設けると、表札用照明６０の発光面（上面）に埃等が引っ掛かる虞がある。このため、表札用照明６０は、表札部１１の上側に設けることが好ましい。
【００４１】
本実施態様においても、表札用照明６０は、表札部１１の上側に設けており、表札用照明６０からの照射光は、文字表示体１１ａの上側から照射され、文字表示体１１ａの前面に当たった照射光は、文字表示体１１ａの前面で反射して、表札露出用開口部２３から前方へ出射するようになっている。本実施態様においては、照射光が文字表示体１１ａで反射しやすくするため、文字表示体１１ａを光沢色（本実施態様においては、文字表示体１１ａを形成する金属素材の光沢がそのまま現れるようにしており、着色等は特にしていない。）としている。光沢色としては、シルバーやゴールド等が例示される。
【００４２】
これに対し、文字表示体１１ａの後側に位置する門柱本体１０の前面は、暗色としている。暗色としては、ブラックやダークグレーやダークブラウン等が例示される。このように、文字表示体１１ａの背景となる部分を暗色とするとともに、文字表示体１１ａを光沢色としたことによって、文字表示体１１ａ自体を光らせるとともに、文字表示体１１ａと背景とのコントラストが際立つようになるため、文字表示体１１ａをより判読しやすくなっている。加えて、文字表示体１１ａは、さらに立体的に見えやすくなっている。
【００４３】
ところで、門柱本体１０と門柱カバー２０との間には、隙間αが存在するところ、この隙間αに雨水等が入ることがあると、表札用照明６０に雨水等が当たり、表札用照明６０が故障する虞がある。このため、本実施態様においては、表札用照明６０の上側は雨除け７０で覆っており、雨水が表札用照明６０に当たらないようにしている。表札用照明６０は、この雨除け７０の下面に取り付けている。ただし、表札用照明６０として防水仕様の照明を用いれば、雨除け７０を省略してシンプルな構造とすることができる。
【００４４】
門柱本体１０の前面における、雨除け７０よりも下側箇所には、照明取付用開口部１５を設けている。この照明取付用開口部１５を通じて、表札用照明６０の取付及び取外しができるようになっている。この照明取付用開口部１５は、照明取付用開口部１５の近傍に取り付けた可動板等の蓋体（図示省略）で開閉できるようにしてもよい。門柱本体１０の内部における表札部１１の裏側の空間は、表札用照明６０や、インターホン３０（図２を参照。）の配線スペース等として有効に活用することができる。
【符号の説明】
【００４５】
１０    門柱本体
１１    表札部
１１ａ  文字表示体
１２    インターホン取付部
１３    郵便受け収容部
１４    投函口
１５    照明取付用開口部
２０    門柱カバー
２１    前面被覆部
２２    側面被覆部
２３    表札露出用開口部
３０    インターホン
４０    郵便受け
５０    固定具
５１    ネジ部
５２    筒状スペーサ部
５３    ナット部
６０    表札用照明
７０    雨除け
α    隙間
β    隙間
【図１】
2020094370.tif 000003
【図２】
2020094370.tif 000004
【図３】
2020094370.tif 000005
【図４】
2020094370.tif 000006